(57)【特許請求の範囲】
【請求項１】
ローラを備えた台座に立設され微細な隙間を備えた展示物と、
煙を発生させる煙発生装置と、
前記煙発生装置から供給された煙を貯留するための空間を備えるとともに前記隙間に連通する貯留室と、を有し、
前記煙発生装置及び前記貯留室は、前記展示物の後側において前記台座に配置されており、前記展示物の前側から前記煙が放出されることを特徴とするディスプレイ装置。
【請求項２】
前記貯留室で貯留された煙を前記隙間に送る送風機を備えていることを特徴とする請求項１に記載のディスプレイ装置。
【請求項３】
前記貯留室の内部が視認できるように前記貯留室の一部が透明になっていることを特徴とする請求項１又は請求項２に記載のディスプレイ装置。
【発明の詳細な説明】
【技術分野】
【０００１】
本発明は、ディスプレイ装置に関する。
【背景技術】
【０００２】
特許文献１には、煙を用いて室内の空気の流れを見学者に紹介するディスプレイ装置が記載されている。このディスプレイ装置は、ストーブやタンス等の家具を備えた室内空間と、室内空間の下に設けられた煙発生装置と、この煙発生装置と各家具を連結するチューブと、を備えている。このディスプレイ装置は、見学者が室内空間の外側に設けられたボタンを押すことで、そのボタンに対応する家具から白色の煙が噴出するようになっている。見学者は、噴出された煙の流れを確認することで、室内空間の換気状況等を視覚的に把握することができる。
【０００３】
ここで、例えば、複数の面材を積層して形成された住宅の壁の通気性を見学者に紹介したい場合、通気路を構成する隙間の一端側から煙を供給し、他端側から煙を放出させることが考えられる。このようなディスプレイ装置によれば、見学者は、通気路の他端側から煙が放出されていることを確認することで、壁に通気性が備わっていることを把握することができる。煙の発生源としては、例えば、グリコール系溶剤を加熱・気化させて大量の煙を発生できるスモークマシン等が考えられる。
【先行技術文献】
【特許文献】
【０００４】
【特許文献１】特許４２０２２７５号公報
【発明の概要】
【発明が解決しようとする課題】
【０００５】
しかし、例えば、壁の通気路が１ｍｍ程度の微細な隙間で構成されている場合、この隙間に煙を供給するのが困難であった。スモークマシンは、グリコール系溶剤と水とを高圧雰囲気で混合させて短時間で加熱・気化させるため勢いよく煙が噴出する。勢いよく噴出された煙を直接隙間に流そうとしても、ほとんどの煙は隙間に入っていかず、供給効率が非常に悪いという問題があった。また、スモークマシンの噴出口と微細な隙間とを近づけると、例えば壁に樹脂製の部材が積層されている場合に、その部材が溶けてしまうという問題があった。
【０００６】
本発明は、前記した問題に鑑みて創案されたものであり、微細な隙間に煙を効率よく供給することができるとともに展示物に微細な隙間があることを効果的に見せることができるディスプレイ装置を提供することを課題とする。
【課題を解決するための手段】
【０００７】
前記課題を解決するため、本発明は、ローラを備えた台座に立設され微細な隙間を備えた展示物と、煙を発生させる煙発生装置と、前記煙発生装置から供給された煙を貯留するための空間を備えるとともに前記隙間に連通する貯留室と、を有し、前記煙発生装置及び前記貯留室は、前記展示物の後側において前記台座に配置されており、前記展示物の前側から前記煙が放出されることを特徴とする。
【０００８】
かかる構成によれば、貯留室で煙を一旦貯留することで、煙を大気中に拡散させずに保持することができ、この貯留室と連通している隙間に少しずつ煙を供給することができる。これにより、煙発生装置から発生した煙を効率よく隙間に供給することができ、展示物に微細な隙間があることを効果的に見せることができる。
【０００９】
また、前記貯留室で貯留された煙を前記隙間に送る送風機を備えていることが好ましい。かかる構成によれば、煙をより効率よく隙間に供給することができる。
【００１０】
また、前記貯留室の内部が視認できるように前記貯留室の一部が透明になっていることが好ましい。かかる構成によれば、貯留室における煙の貯留状況を確認することができ、煙を安定して供給することができる。
【発明の効果】
【００１１】
本発明に係るディスプレイ装置によれば、微細な隙間に煙を効率よく供給することができるとともに展示物に微細な隙間があることを効果的に見せることができる。
【図面の簡単な説明】
【００１２】
【図１】本実施形態に係るディスプレイ装置を示す斜視図である。
【図２】本実施形態に係るディスプレイ装置を示す側断面図であり、（ａ）は全体図、（ｂ）は要部拡大図である。
【図３】図２の（ａ）のI-I断面図である。
【図４】貯留室を示した斜視図である。
【図５】本実施形態に係るディスプレイ装置の作用を示した側断面図である。
【発明を実施するための形態】
【００１３】
以下、本発明の実施形態について、図面を参照して詳細に説明する。図１に示すように、本実施形態に係るディスプレイ装置１は、通気性を備えた住宅の外壁の一部を見学者に紹介する場合を例示する。ディスプレイ装置１は、外壁の一部である展示物２と、展示物２に並設された貯留室３と、貯留室３に煙を供給する煙発生装置４と、送風機５とを有する。なお、説明における上下左右前後は、図１の矢印にしたがう。
【００１４】
展示物２は、図１及び図２に示すように、本実施形態では住宅の外壁の一部を模擬的に現したものである。展示物２は、後側から前側に向けて順番に枠組１１と、合板１２と、防水シート１３と、ラス網１４と、モルタル層１５と、外装材１６とで構成されている。詳細は後記するが、合板１２と防水シート１３との間に上下方向に連通する微細な隙間Ｓが形成されており、この隙間Ｓが通気路として機能する。本実施形態では、展示物２の層構成を見せるために、合板１２の高さが最も高く、前側に向けて徐々に各部材の高さが低くなるようになっている。展示物２の下端には、展示物２を設置するための台座１７が設けられている。
【００１５】
枠組１１は、図１及び図３に示すように、複数の木材で形成された枠状部材であって、下枠１１ａと、下枠１１ａの左右方向の両端に立設する一対の縦枠１１ｂと、縦枠１１ｂの上端に設置された上枠１１ｃと、縦枠１１ｂ，１１ｂに接合された下側横枠１１ｄ及び上側横枠１１ｅとで構成されている。図１に示すように、枠組１１の前方両側には、一対の外枠１１ｆが設けられている。外枠１１ｆは、隙間Ｓを通る煙が隙間Ｓの左右方向両側から放出しないように合板１２の両側端に立設されている。なお、右側の外枠１１ｆは、説明の便宜上透過して描画している。
【００１６】
合板１２は、枠組１１の前側に留め付けられた板状部材である。図３に示すように、合板１２の下部中央には、前後方向に貫通する開口部１２ａが形成されている。開口部１２ａは、本実施形態では下側横枠１１ｄの上に露出している。
【００１７】
防水シート１３は、図２に示すように、合板１２の前側に積層された薄い層状の部材である。防水シート１３は、例えばアスファルト又は改質アスファルト等のコールドフロー性と粘弾性を有するアスファルトコンパウンドからなり、雨水等が合板１２に浸透しないように防水層として機能する。
【００１８】
防水シート１３は、図２の（ｂ）に示すように、板状の本体部１３ａと、本体部１３ａの後面に突設された複数の突起１３ｂとを備えている。突起１３ｂは、例えば半球状を呈し、後面側から見て千鳥状に配置されている。突起１３ｂの高さは、例えば約１ｍｍになっている。これにより、合板１２と本体部１３ａとの間に１ｍｍ程度の微細な隙間Ｓが形成される。この隙間Ｓが壁（展示物２）の通気路となっており、壁内に発生した水蒸気等を隙間Ｓから外部に放出することができる。
【００１９】
なお、隙間Ｓの大きさは本実施形態では１ｍｍとしたが、これに限定されるものではなく、例えば０．５〜２０．０ｍｍより好ましくは１．０〜１０．０ｍｍの間で適宜設定すればよい。
【００２０】
ラス網１４は、防水シート１３の前側に積層された網状部材である。モルタル層１５は、ラス網１４を下地として塗装されている。外装材１６は、モルタル層１５の前側に設置されている。
【００２１】
台座１７は、展示物２を支持する部材であって、展示物２に対して垂直に形成されている。台座１７の下部の四隅には、ローラ１７ａが設置されている。
【００２２】
貯留室３は、煙発生装置４から供給された煙を貯留するための空間である。貯留室３は、図１及び図２に示すように、展示物２の後側に並設されている。図４に示すように、貯留室３は、略直方体を呈し前側が開放されている。貯留室３は、底板部２１と、底板部２１の両側に設置された一対の側板部２２と、側板部２２に連結された天板部２３と、後側に設置された背板部２４とで構成されている。底板部２１、側板部２２、天板部２３は木材で形成されており、背板部２４は透明なアクリル樹脂で形成されている。背板部２４の下部中央には、貫通孔２４ａが形成されている。
【００２３】
図２に示すように、貯留室３の前側は枠組１１に当接している。具体的には、貯留室３の底板部２１、側板部２２、天板部２３は、枠組１１の下枠１１ａ、縦枠１１ｂ、上側横枠１１ｅにそれぞれ当接している。これにより、貯留室３と枠組１１と合板１２とで閉じられた空間が形成されている。また、貯留室３は、前側が開放されているため、開口部１２ａに連通している。
【００２４】
煙発生装置４は、図２に示すように、貯留室３に煙を供給するための装置であって、貯留室３の後側において、台座１７に設置されている。煙発生装置４は、本実施形態では、グリコール系溶剤を加熱・気化させて大量の有色（例えば白色）の煙を発生することができるスモークマシンを用いている。煙発生装置４の噴出口４ａは、背板部２４の貫通孔２４ａに挿通されている。スモークマシンによれば、短時間で大量の煙を貯留室３に供給することができる。なお、煙発生装置４は、スモークマシンに限定するものではなく、貯留室３内に煙を供給できる構成であれば他の形態であってもよい。
【００２５】
送風機５は、図２に示すように、隙間Ｓに煙を送るための装置である。送風機５は、本実施形態では、下側横枠１１ｄの上において、合板１２の開口部１２ａの後側に設置されている。これにより、貯留室３内の煙を、開口部１２ａを介して隙間Ｓに供給することができる。送風機５は、本実施形態では、図示しない制御装置に接続されている。送風機５は、制御装置によって連続的又は断続的に作動するように構成されていてもよいし、送風の強弱を調節できるように構成されていてもよいし、あるいは、人の操作によって作動したり停止したりするように構成されていてもよい。
【００２６】
次に、ディスプレイ装置１の作用について説明する。
図５に示すように、煙発生装置４を作動させると、貯留室３内に煙が貯留される。貯留された煙は、送風機５によって、開口部１２ａを介して隙間Ｓに少しずつ導かれる。隙間Ｓに導入された煙は、突起１３ｂの間を通って上方に移動し、隙間Ｓの上端から外部に放出される。見学者は、隙間Ｓの上端から煙が放出されることで、合板１２と防水シート１３との間に通気路があることを視覚的に確認することができる。
【００２７】
本実施形態に係るディスプレイ装置１によれば、貯留室３で煙を一旦貯留することで、煙を大気中に拡散させずに保持することができ、煙の勢いを低減させてこの貯留室３と連通している隙間Ｓに少しずつ煙を供給することができる。また、貯留室３を設けることで、ムラの無い状態で煙を保持することができる。これにより、煙発生装置４から発生した煙を効率よく微細な隙間Ｓに供給することができ、展示物２に微細な隙間Ｓがあることを効果的に見せることができる。
【００２８】
また、本実施形態では送風機５を設けたため、隙間Ｓにより効率よく煙を送ることができる。例えば、送風機５によって、隙間Ｓに一定量の煙を連続的又は断続的に送ったり、あるいは見学者の操作に応じて煙を送ったりすることができる。
【００２９】
また、本実施形態では、貯留室３の背板部２４をアクリル樹脂の板材で構成したため、貯留室３の内部を視認することができる。これにより、貯留室３内の煙の貯留状況を外部から把握することができるため、安定して煙を供給することができる。
【００３０】
ここで、煙発生装置４として、例えばドライアイスを用いることも可能であるが、ドライアイスであると連続的に煙を発生し続けることが困難となる。また、ドライアイスであると、煙自体が重く、隙間Ｓを昇っていかないという問題がある。また、ドライアイスであると展示物２が濡れてしまうという問題がある。
【００３１】
しかし、本実施形態によれば、煙発生装置４としてスモークマシンを用いているため、大量の煙を発生させることができる。これにより、隙間Ｓに煙を長時間にわたって安定して供給し続けることができる。また、スモークマシンから噴出した直後の煙の流速は速いが、貯留室３に一旦貯留することで、外部に煙が拡散することなく、かつ、隙間Ｓに導く際の流速を低減することができる。これにより、緩やかな流速の煙を隙間Ｓに送ることができる。また、スモークマシンから噴出された直後の煙は温度が高くなっているが、貯留室３内で一旦貯留することで温度を下げることができる。これにより、展示物２の防水シート１３等が溶けるのを防ぐことができる。
【００３２】
以上本発明の実施形態について説明したが、本発明の趣旨に反しない範囲において適宜変更が可能である。例えば、開口部１２ａは、本実施形態では正面視円形状であるが、隙間Ｓに連通していればどのような形状であってもよい。また、送風機５は設けなくてもよい。送風機５を設けなくても、貯留室３の煙が充満されれば、隙間Ｓに少しずつ煙を供給することができる。一方、送風機５を二機以上設けてもよい。
【００３３】
また、本実施形態の貯留室３の前側は大きく開放しているが、貯留室３の前側を板状部材で塞いで直方体形状を呈する箱状体としてもよい。この場合は、その前側の板状部材に開口部１２ａに連通する連通孔を設けることで開口部１２ａに煙を導くことができる。
【００３４】
また、本実施形態では貯留室３の一部をアクリル樹脂としたが、貯留室３の全部をアクリル樹脂等の透明な部材で形成してもよい。また、貯留室３は木材ではなく例えば樹脂や金属で形成してもよい。
【００３５】
また、本実施形態では展示物２として壁を採用し、積層された板状部材同士の隙間Ｓを例示したが、これに限定されるものではない。また、展示物２は、住宅に関わる部材に限定するものでもない。展示物２は、微細な隙間を備えている構造物や装置であれば他の形態であってもよい。
【符号の説明】
【００３６】
１      ディスプレイ装置
２      展示物（壁）
３      貯留室
４      煙発生装置
５      送風機
１１    枠組
１２    合板
１２ａ  開口部
１３    防水シート
１４    ラス網
１５    モルタル層
１６    外装材
１７    台座
２１    底板部
２２    側板部
２３    天板部
２４    背板部
２４ａ  貫通孔
Ｓ      隙間
【図１】
0005559072.tif 000002
【図２】
0005559072.tif 000003
【図３】
0005559072.tif 000004
【図４】
0005559072.tif 000005
【図５】
0005559072.tif 000006